【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
低圧の吸入冷媒を圧縮して高圧の冷媒を吐出する圧縮部（１１１）と、
ロータ（１１２ｒ）の回転に基づき前記圧縮部を駆動させる電動モータ（１１２）と、
前記電動モータを駆動させるモータ駆動回路（１１４）と、
中間圧冷媒を前記圧縮部に導入する中間圧ポート（１１ｄ）と、
前記ロータの回転制御を行う制御部（１１５）と、を備え、
前記制御部は、
前記中間圧冷媒が前記圧縮部に導入される２段圧縮モードの実行時に前記電動モータを停止させる場合、前記電動モータを短絡制動させて前記ロータの回転を停止させた後、前記ロータの回転位置を所定の回転位置で固定させるべく前記電動モータを直流励磁するとともに、
前記電動モータを直流励磁している際、前記中間圧冷媒の圧力が前記ロータを逆回転させない程度の圧力まで低下したと判断した場合、前記電動モータの直流励磁を解除する
電動圧縮機。
【請求項２】
低圧の吸入冷媒を圧縮して高圧の冷媒を吐出する圧縮部（１１１）と、
ロータ（１１２ｒ）の回転に基づき前記圧縮部を駆動させる電動モータ（１１２）と、
前記電動モータを駆動させるモータ駆動回路（１１４）と、
中間圧冷媒を前記圧縮部に導入する中間圧ポート（１１ｄ）と、
前記ロータの回転制御を行う制御部（１１５）と、を備え、
前記制御部は、
前記中間圧冷媒が前記圧縮部に導入される２段圧縮モードの実行時に前記電動モータを停止させる場合、前記電動モータを短絡制動させて前記ロータの回転を停止させた後、前記ロータの回転位置を所定の回転位置で固定させるべく前記電動モータを直流励磁するとともに、
前記電動モータを直流励磁している際、前記モータ駆動回路の温度が直流励磁時の温度閾値以上になった場合には、前記電動モータの直流励磁を解除する
電動圧縮機。
【請求項３】
前記制御部は、
前記電動モータの直流励磁を解除した後、前記中間圧冷媒の圧力が前記ロータを逆回転させない程度の圧力まで低下する前に前記電動モータを起動させる場合には、前記電動モータを短絡制動させた後に前記電動モータを直流励磁するとともに、その後に前記ロータの前記所定の回転位置を基準として前記電動モータを再起動させる
請求項２に記載の電動圧縮機。
【請求項４】
低圧の吸入冷媒を圧縮して高圧の冷媒を吐出する圧縮部（１１１）と、
ロータ（１１２ｒ）の回転に基づき前記圧縮部を駆動させる電動モータ（１１２）と、
前記電動モータを駆動させるモータ駆動回路（１１４）と、
中間圧冷媒を前記圧縮部に導入する中間圧ポート（１１ｄ）と、
前記ロータの回転制御を行う制御部（１１５）と、を備え、
前記制御部は、
前記中間圧冷媒が前記圧縮部に導入される２段圧縮モードの実行時に前記電動モータを停止させる場合、前記電動モータを短絡制動させて前記ロータの回転を停止させた後、前記ロータの回転位置を所定の回転位置で固定させるべく前記電動モータを直流励磁するとともに、
前記電動モータを短絡制動させている際、モータ駆動回路の温度が短絡制動時の温度閾値以上になった場合には、前記電動モータの短絡制動を解除する
電動圧縮機。
【請求項５】
前記制御部は、
前記電動モータの短絡制動を解除した後、前記中間圧冷媒の圧力が前記ロータを逆回転させない程度の圧力まで低下する前に前記電動モータを起動させる場合には、前記電動モータを短絡制動させた後に前記電動モータを直流励磁するとともに、その後に前記ロータの前記所定の回転位置を基準として前記電動モータを再起動させる
請求項４に記載の電動圧縮機。
【請求項６】
前記制御部は、
前記電動モータを直流励磁した後に前記電動モータを再起動させる場合には、前記ロータの前記所定の回転位置を基準として前記電動モータを起動させる
請求項１〜５のいずれか一項に記載の電動圧縮機。
【請求項７】
前記制御部は、
前記中間圧冷媒の圧力と吸入冷媒の圧力との差が所定の圧力閾値以下になることに基づいて、前記中間圧冷媒の圧力が前記ロータを逆回転させない程度の圧力まで低下したと判定する
請求項１，３，５のいずれか一項に記載の電動圧縮機。
【請求項８】
前記制御部は、
前記直流励磁を実行した時点から所定時間が経過することに基づいて、前記中間圧冷媒の圧力が前記ロータを逆回転させない程度の圧力まで低下したと判定する
請求項１，３，５のいずれか一項に記載の電動圧縮機。
【手続補正２】
【補正対象書類名】明細書
【補正対象項目名】００１０
【補正方法】変更
【補正の内容】
【００１０】
上記課題を解決する電動圧縮機は、吸入される低圧冷媒を圧縮して高圧冷媒を吐出する圧縮部（１１１）と、ロータ（１１２ｒ）の回転に基づき圧縮部を駆動させる電動モータ（１１２）と、電動モータを駆動させるモータ駆動回路（１１４）と、圧縮部に中間圧冷媒を導入する中間圧ポート（１１ｄ）と、ロータの回転制御を行う制御部（１１５）と、を備える。制御部は、中間圧冷媒が圧縮部に導入される２段圧縮モードの実行時に電動モータを停止させる場合、電動モータを短絡制動させてロータの回転を停止させた後、ロータの回転位置を所定の回転位置で固定させるべく電動モータを直流励磁するとともに、電動モータを直流励磁している際、中間圧冷媒の圧力がロータを逆回転させない程度の圧力まで低下したと判断した場合、電動モータの直流励磁を解除する。
また、上記課題を解決する電動圧縮機は、吸入される低圧冷媒を圧縮して高圧冷媒を吐出する圧縮部（１１１）と、ロータ（１１２ｒ）の回転に基づき圧縮部を駆動させる電動モータ（１１２）と、電動モータを駆動させるモータ駆動回路（１１４）と、圧縮部に中間圧冷媒を導入する中間圧ポート（１１ｄ）と、ロータの回転制御を行う制御部（１１５）と、を備える。制御部は、中間圧冷媒が圧縮部に導入される２段圧縮モードの実行時に電動モータを停止させる場合、電動モータを短絡制動させてロータの回転を停止させた後、ロータの回転位置を所定の回転位置で固定させるべく電動モータを直流励磁するとともに、電動モータを直流励磁している際、モータ駆動回路の温度が直流励磁時の温度閾値以上になった場合には、電動モータの直流励磁を解除する。
さらに、上記課題を解決する電動圧縮機は、吸入される低圧冷媒を圧縮して高圧冷媒を吐出する圧縮部（１１１）と、ロータ（１１２ｒ）の回転に基づき圧縮部を駆動させる電動モータ（１１２）と、電動モータを駆動させるモータ駆動回路（１１４）と、圧縮部に中間圧冷媒を導入する中間圧ポート（１１ｄ）と、ロータの回転制御を行う制御部（１１５）と、を備える。制御部は、中間圧冷媒が圧縮部に導入される２段圧縮モードの実行時に電動モータを停止させる場合、電動モータを短絡制動させてロータの回転を停止させた後、ロータの回転位置を所定の回転位置で固定させるべく電動モータを直流励磁するとともに、電動モータを短絡制動させている際、モータ駆動回路の温度が短絡制動時の温度閾値以上になった場合には、電動モータの短絡制動を解除する。
【手続補正３】
【補正対象書類名】明細書
【補正対象項目名】００１１
【補正方法】変更
【補正の内容】
【００１１】
これらの構成によれば、２段圧縮モードの実行時に電動モータを停止させる際、短絡制動によりロータの回転が停止した後、直流励磁によりロータの回転位置が所定の回転位置で固定される。これにより、中間圧冷媒の圧力が吸入冷媒の圧力に対してある程度大きい場合でも、ロータの逆回転を抑制することができる。よって、再起動時における電動モータの脱調を抑制することができる。